(57)【特許請求の範囲】
【請求項１】
無線通信システムにおいて第１通信モジュールと第２通信モジュールを備える端末の干渉回避方法であって、
前記第２通信モジュール駆動によって前記第１通信モジュールの通信に対する干渉が発生したことを感知する感知段階;
前記干渉を制御するための干渉発生情報メッセージを生成して基地局に送信する送信段階;及び
前記基地局から送信される干渉発生情報応答メッセージに含まれた制御命令に従ってハンドオーバー又は不連続受信(Ｄｉｓｃｏｎｔｉｎｕｏｕｓ Ｒｅｃｅｐｔｉｏｎ)動作を遂行する干渉制御段階を含み、
前記干渉発生情報メッセージは、前記ハンドオーバー又は前記不連続受信動作を選択するために前記基地局によって使用され、
前記干渉制御段階は、
前記制御命令が不連続受信動作の場合、上向きリンク活動指示子を設定するか否かを確認する段階;及び
前記上向きリンク活動指示子の設定時、前記不連続受信動作の活性化区間だけで上向きリンク送信を遂行するように制御する段階をさらに含む
ことを特徴とする端末の干渉回避方法。
【請求項２】
前記干渉制御段階は、
前記活性化区間以外の区間では専用スケジューリング要請(ｄｅｄｉｃａｔｅｄ ｓｃｈｅｄｕｌｉｎｇ ｒｅｑｕｅｓｔ)、複合自動再送信(Ｈｙｂｒｉｄ Ａｕｔｏｍａｔｉｃ Ｒｅｐｅａｔ ｒｅｑｕｅｓｔ、ＨＡＲＱ)、サウンディングレファレンスシンボル(Ｓｏｕｎｄｉｎｇ Ｒｅｆｅｒｅｎｃｅ Ｓｙｍｂｏｌｓ)、半永久的スケジューリング(Ｓｅｍｉ-ｐｅｒｓｉｓｔｅｎｔ ｓｃｈｅｄｕｌｉｎｇ)に対するデータを送信しない
ことを特徴とする、請求項１に記載の端末の干渉回避方法。
【請求項３】
前記干渉制御段階は、
前記端末のランダムアクセス(Ｒａｎｄｏｍ Ａｃｃｅｓｓ)手続きが開始された場合、前記ランダムアクセス手続き遂行のためのメッセージ受信は許容する
ことを特徴とする、請求項１に記載の端末の干渉回避方法。
【請求項４】
前記干渉発生情報メッセージは、
干渉の影響を受ける周波数情報、干渉の影響を受ける中心周波数の情報、ＩＳＭ(Ｉｎｄｕｓｔｒｉａｌ、Ｓｃｉｅｎｔｉｆｉｃ ａｎｄ Ｍｅｄｉｃａｌ)帯域情報、前記第２通信モジュールの予想活動パターンの中で少なくとも１つの情報を含む
ことを特徴とする、請求項１に記載の端末の干渉回避方法。
【請求項５】
前記干渉発生情報メッセージは、
無線資源制御(Ｒａｄｉｏ Ｒｅｓｏｕｒｃｅ Ｃｏｎｔｒｏｌ、ＲＲＣ)階層を通じて送信される
ことを特徴とする、請求項１に記載の端末の干渉回避方法。
【請求項６】
前記干渉発生情報メッセージは、
前記第２通信モジュールが前記第１通信モジュールに発生させた干渉が感知されたり又は予測される場合、前記基地局に送信される
ことを特徴とする、請求項１に記載の端末の干渉回避方法。
【請求項７】
無線通信システムにおいて第１通信モジュールと第２通信モジュールの間に発生する干渉を回避するように制御する装置であって、
基地局と信号を送受信する前記第１通信モジュールの送受信機;
前記第２通信モジュールの駆動要請を感知し、前記第２通信モジュール駆動の前記第１通信モジュールの通信に対して干渉するか否かを判断して出力する干渉通信感知判断部;及び
前記干渉を制御するための干渉発生情報メッセージを生成して基地局に送信し、前記基地局から送信される干渉発生情報応答メッセージに含まれた制御命令に従ってハンドオーバー又は不連続受信(Ｄｉｓｃｏｎｔｉｎｕｏｕｓ Ｒｅｃｅｐｔｉｏｎ)動作を遂行するように制御する制御部を含み、
前記干渉発生情報メッセージは、前記ハンドオーバー又は前記不連続受信動作を選択するために前記基地局によって使用され、
前記制御部は、
前記制御命令が不連続受信動作の場合、上向きリンク活動指示子を設定するか否かを確認し、前記上向きリンク活動指示子の設定時、前記不連続受信動作の活性化区間だけで上向きリンク送信を遂行するように制御する
ことを特徴とする干渉制御装置。
【請求項８】
前記制御部は、
前記活性化区間以外の区間では専用スケジューリング要請(ｄｅｄｉｃａｔｅｄ ｓｃｈｅｄｕｌｉｎｇ ｒｅｑｕｅｓｔ)、複合自動再送信(Ｈｙｂｒｉｄ Ａｕｔｏｍａｔｉｃ Ｒｅｐｅａｔ ｒｅｑｕｅｓｔ、ＨＡＲＱ)、サウンディングレファレンスシンボル(Ｓｏｕｎｄｉｎｇ Ｒｅｆｅｒｅｎｃｅ Ｓｙｍｂｏｌｓ)、半永久的スケジューリング(Ｓｅｍｉ-ｐｅｒｓｉｓｔｅｎｔ ｓｃｈｅｄｕｌｉｎｇ)に対するデータを送信しない
ことを特徴とする、請求項７に記載の干渉制御装置。
【請求項９】
前記制御部は、
ランダムアクセス(Ｒａｎｄｏｍ Ａｃｃｅｓｓ)手続きが開始された場合、前記ランダムアクセス手続き遂行のためのメッセージ受信は許容する
ことを特徴とする、請求項７に記載の干渉制御装置。
【請求項１０】
前記干渉発生情報メッセージは、
干渉の影響を受ける周波数情報、干渉の影響を受ける中心周波数の情報、ＩＳＭ(Ｉｎｄｕｓｔｒｉａｌ、Ｓｃｉｅｎｔｉｆｉｃ ａｎｄ Ｍｅｄｉｃａｌ)帯域情報、前記第２通信モジュールの予想活動パターンの中で少なくとも１つの情報を含む
ことを特徴とする、請求項７に記載の干渉制御装置。
【請求項１１】
前記干渉発生情報メッセージは、
無線資源制御(Ｒａｄｉｏ Ｒｅｓｏｕｒｃｅ Ｃｏｎｔｒｏｌ、ＲＲＣ)階層を通じて送信される
ことを特徴とする、請求項７に記載の干渉制御装置。
【請求項１２】
前記干渉発生情報メッセージは、
前記第２通信モジュールが前記第１通信モジュールに発生させた干渉が感知されたり又は予測される場合、前記基地局に送信される
ことを特徴とする、請求項７に記載の干渉制御装置。
【請求項１３】
前記制御部は、
前記第２通信モジュールから前記送受信機を通じて受信した上記干渉を感知し、前記干渉通信感知判断部に通知するように制御する
ことを特徴とする、請求項７に干渉制御装置。
【発明の詳細な説明】
【技術分野】
【０００１】
本発明は、無線通信システムに関するもので、より詳しくは端末機内の互いに相違する無線通信モジュールが共存する場合、 異種の通信モジュール相互間の干渉を回避する方法に関するものである。
【背景技術】
【０００２】
近年、スマートフォンの急激な普及によってスマートフォン内の無線ＬＡＮとブルートゥース、ＧＰＳの需要及び使用が急増した。このような趨勢によって１つの端末機内に多くの通信技術(例えば、既存セルラー網技術(ＬＴＥ/ＵＭＴＳ)、 無線ＬＡＮとブルートゥース、ＧＮＳＳ/ＧＰＳ)が共存する場合が増加するようになり、このような異種通信技術が同時に使用される場合、相互間の干渉問題が台頭された。上記イシューに対し、３ＧＰＰではＩｎ−Ｄｅｖｉｃｅ  Ｃｏｅｘｉｓｔｅｎｃｅ(以下「ＩＤＣ」と称する)という名に論議されている。
【０００３】
一方、ＬＴＥ/ＵＭＴＳ通信技術は、多様な周波数帯域で動作する一方、ブルートゥースや無線ＬＡＮのような通信技術はＩＳＭ(Ｉｎｄｕｓｔｒｉａｌ、Ｓｃｉｅｎｔｉｆｉｃ  ａｎｄ  Ｍｅｄｉｃａｌ)帯域（２４００〜２４８３．５ＭＨｚ）で動作する。特に、ＬＴＥ/ＵＭＴＳ通信技術が使用する多くの帯域の中、Ｂａｎｄ４（２３００〜２４００ＭＨｚ）とＢａｎｄ７の上向きリンク部分(２５００〜２５７０ＭＨｚ)帯域の場合、 ブルートゥースと無線ＬＡＮが使用しているＩＳＭ帯域と引接しているので、同時に通信する場合、１つの通信技術における送信信号が他の通信技術における受信信号として受信され深刻な干渉を起こす問題が発生するようになる。
【０００４】
また、 ＬＴＥシステムは、端末の電力消耗を減らすために不連続受信(Ｄｉｓｃｏｎｔｉｎｕｏｕｓ Ｒｅｃｅｐｔｉｏｎ、ＤＲＸ)動作を定義している。すなわち、端末が一定の周期/パターンを持って下向きリンクトラフィックするか否かを確認し、上記端末に受信されたデータがある場合、起きてデータを取り交わし、 ない場合には継続休眠状態を維持する技法である。
【発明の概要】
【発明が解決しようとする課題】
【０００５】
しかし、現在ＬＴＥシステムにおけるＤＲＸ動作は下向きリンクトラフィックするか否かによって動作し、 上向きリンクトラフィックはＤＲＸパターンに構わなくいつでもデータを送信することができる。もし、既存ＤＲＸを干渉防止用で活用するようになれば、実際相互干渉に影響を及ぼす送信信号(すなわち、上向きリンク)は統制することができず、 相変らず干渉問題を起こすことができるという問題点がある。
【課題を解決するための手段】
【０００６】
本発明は、上記のような問題点を解決するために創案されたもので、端末機内に異種の通信モジュールが存在する場合(例えば、ＬＴＥとＷｉ−Ｆｉ、或いはＬＴＥとブルートゥース、或いはＬＴＥとＧＰＳ等)、異種の通信モジュール相互間の干渉を回避するための方法及び装置を提供することをその目的とする。
【０００７】
上記問題を解決するための手段で、端末機内の異種網通信モジュール(例えば、無線ＬＡＮ或いはブルートゥース)から干渉が発生した場合、或いは発生する可能性がある場合、端末は基地局(ＥＮＢ又はセル)に干渉関連情報をＲＲＣメッセージで提供し、 これによって基地局が干渉を減らすためのＤＲＸ(例えば、非活性化区間で上向きリンク送信を制限する ＤＲＸ)を設定する。
【０００８】
より具体的に、上記のような問題を解決するための本発明の無線通信システムにおいて第１通信モジュールと第２通信モジュールを備える端末の干渉制御方法は、上記第２通信モジュール駆動によって上記第１通信モジュールの通信に対して干渉が発生したことを感知する感知段階、上記干渉を制御するための干渉発生情報メッセージを生成して基地局に送信する送信段階、及び上記基地局から送信される干渉発生情報応答メッセージに含まれた制御命令によってハンドオーバー又は不連続受信(Ｄｉｓｃｏｎｔｉｎｕｏｕｓ Ｒｅｃｅｐｔｉｏｎ)動作を遂行する干渉制御段階を含むことを特徴とする。
【０００９】
また、本発明の無線通信システムにおいて第１通信モジュールと第２通信モジュールの間に発生する干渉を制御する装置は基地局と信号を送受信する送受信機、上記第２通信モジュールの駆動要請を感知し、上記第２通信モジュール駆動の上記第１通信モジュールの通信に対する干渉するか否かを判断して出力する干渉通信感知判断部及び上記干渉を制御するための干渉発生情報メッセージを生成して基地局に送信し、上記基地局から送信される干渉発生情報応答メッセージに含まれた制御命令に従ってハンドオーバー又は不連続受信(Ｄｉｓｃｏｎｔｉｎｕｏｕｓ Ｒｅｃｅｐｔｉｏｎ)動作を遂行するように制御する制御部を含むことを特徴とする。
【００１０】
本発明で提案する方法を利用すれば、異種の通信モジュールを搭載した端末は他の装置から干渉を時分割方式で回避し、 ＤＲＸ区間では上向きリンク送信も制限することによって、通信モジュール間の相互干渉を減らして通信を円滑に遂行することができる。
【図面の簡単な説明】
【００１１】
【図１】現在の３ＧＰＰで移動通信のために用いる周波数の中、ＩＳＭ帯域に引接した周波数帯域を図式化した図である。
【図２】本発明の実施例による端末の干渉回避過程を示すシグナリングダイヤグラムである。
【図３】本発明の実施例による端末２０１の干渉回避動作手順を示すフローチャートである。
【図４】本発明の実施例によるセル２０３が端末の干渉回避を制御する過程を示すフローチャートである。
【図５】本発明の実施例による端末２０１の内部構造を示すブロック図である。
【図６】本発明の実施例によるセル２０３の内部構造を示すブロック図である。
【発明を実施するための形態】
【００１２】
本発明におけるセルラー通信技術(又は移動通信)は、説明の便宜のために、ＬＴＥ(Ｌｏｎｇ Ｔｅｒｍ Ｅｖｏｌｕｔｉｏｎ)システムを基準で説明するが、一般的なセルラー通信技術に共に適用されることは勿論である。
【００１３】
以下、添付された図面を参照して本発明の好ましい実施例を詳しく説明する。この際、添付図面において、同一の構成要素はできるだけ同一の符号を表することに留意すべきである。なお、本発明の要旨を濁すことができる公知機能及び構成に対する詳細な説明は省略であろう。
【００１４】
図１は現在３ＧＰＰ(３ｒｄ  Ｇｅｎｅｒａｔｉｏｎ  Ｐａｒｔｎｅｒｓｈｉｐ  Ｐｒｏｊｅｃｔ)で移動通信のために用いる周波数の中, ＩＳＭ帯域に引接した周波数帯域を図式化する図面である。
【００１５】
図１において、移動通信基地局がＢａｎｄ４０を用いる際、無線ＬＡＮがチャンネル１番を使用する場合、干渉現象が激しくなり、移動通信基地局がＢａｎｄ７を使用する時、無線ＬＡＮチャンネルがチャンネル１３番或いは１４番を使用する場合に干渉現象が激しくなることを分かる。しかし、このような干渉現象は移動通信セルの位置及び使用周波数と、無線ＬＡＮなどの使用チャンネル、そしてトラフィックパターン等によって動的に変わることができる値である。例えば、ブルートゥース技術の場合、通信時のマスターとスレーブの役目で分けられるようになり、ブルートゥース送信時点がマスターのクロックと同期化され、一般的な場合、最小０.６２５ｍｓの周期で送信時点が決まる。すなわち、０.６２５ｍｓ周期で干渉が発生することができる。また、無線ＬＡＮの場合も上向きリンクと下向きリンク区分が時分割(ＴＤＤ、Ｔｉｍｅ Ｄｉｖｉｓｉｏｎ Ｄｕｐｌｅｘ)からなり、 上向きリンクを送信する時点でばかり端末機内の他の通信モジュールに干渉を与えることができる。したがって、上向きリンクを送信する時点による、状況にあう干渉回避技術が必要である。
【００１６】
以下、後述する本発明の端末は、異種の通信モジュール、すなわち、セルラー網と無線通信を遂行する第１通信モジュールと、セルラー網以外のネットワーク又はアクセスポイントと近距離又は遠距離の無線通信を遂行する第２通信モジュールを含むことができる。この場合、上記第１通信モジュールは移動基地局を使用するセルラー通信モジュールであることができ、上記２通信モジュールは端末のセルラー通信(例えば, ＬＴＥ通信)に対して干渉を与える可能性がある通信を遂行する無線ＬＡＮ(Ｗｉ−Ｆｉ)モジュール、 ブルートゥースモジュール、ＧＰＳ(Ｇｌｏｂａｌ  Ｐｏｓｉｔｉｏｎｉｎｇ  Ｓｙｓｔｅｍ)モジュールの中で少なくとも１つを含むことができる。
【００１７】
図２は、本発明の実施例による端末の干渉回避過程を示すシグナリングダイヤグラムである。図２に図示される内容は端末(ＵＥ２０１)と基地局(ＥＮＢ２０３)の動作に関する説明である。
【００１８】
まず、 端末２０１は２０５段階で、セル２０３と制御メッセージを送受信してネットワーク接続手続きを完了する。そして端末２０１は２０７段階で、第２通信モジュールが駆動されたり又は駆動要請されたことを感知する。これは端末２０１がセルラー通信(例えば、ＬＴＥ通信)に対して「潜在的に干渉を与えることができる通信技術(以下、干渉通信(ＩＮＴＥＲＦＥＲＩＮＧ ｃｏｍｍｕｎｉｃａｔｉｏｎ ｔｅｃｈｎｏｌｏｇｙ、ｉｎｔｅｒｆｅｒｉｎｇ ＣＴ)と表記)」が干渉を発生させたことを感知したり、干渉を発生させることができる可能性があることを感知することを意味する。
【００１９】
上記感知方法でＧＰＳ、或いは無線ＬＡＮが存在するか否かをＬＴＥ通信モジュールが予め保有してあり得て、或いはＩＮＴＥＲＦＥＲＩＮＧ ＣＴ (例えば、ブルートゥース、無線ＬＡＮ、ＧＰＳ/ＧＮＳＳ等)のスタートボタン(或いは電源ボタン)を使用者がオンすることを感知する方法があり得て、 或いはセルラー基地局からの受信信号を測定しながら感知する方法も使用されることができる。
【００２０】
感知後、上記端末２０１は２０９段階で、干渉回避に役に立つ情報を含む干渉発生情報メッセージを上記セル２０３に送信する。上記干渉発生情報メッセージはＲＲＣ(Ｒａｄｉｏ Ｒｅｓｏｕｒｃｅ Ｃｏｎｔｒｏｌ、 以下、「ＲＲＣ」と称する)階層を通じて送信される。上記干渉回避に役に立つ情報(すなわち、干渉発生情報)に対する例としては、干渉の影響を受けるＬＴＥ周波数帯域又は中心周波数の情報、ＩＳＭ又はＧＮＳＳの帯域情報、 ＩＮＴＥＲＦＥＲＩＮＧ ＣＴの予想活動パターン(例えば、送受信周期、パワー節約の周期/パターン等)中、少なくとも１つの情報を含むことができる。
【００２１】
端末２０１から干渉発生情報メッセージを受信したセル２０３は２１１段階で、上記メッセージに含まれた干渉回避情報を含む多様な情報(例えば、現在セル及びターゲットセルのトラフィックロード状況、端末が必要なＱｏＳ(Ｑｕａｌｉｔｙ ｏｆ Ｓｅｒｖｉｃｅ:
【００２２】
品質、 以下 「ＱｏＳ」 と称する)及びターゲットセルが保障してくれることができるＱｏＳ等)を活用し、端末２０１の動作を決定する。より具体的に、セル２０３は干渉を避けるために端末２０１を他の周波数帯域で動作するセルでハンドオーバーさせたり、又はＤＲＸのような時分割送信方式で干渉を避けるように指示することができる。
【００２３】
もし、 セル２０３が端末２０１にＤＲＸのような時分割送信方式を提供すると決定した場合、セル２０３は２１３段階で干渉回避情報を含む多様な情報を活用して端末２０１のＤＲＸ周期及び/又はパターンに対する値を設定する。
【００２４】
ＤＲＸ関連パラメーター及び詳細動作は次のようである。端末２０１はＲＲＣメッセージを通じてＤＲＸ機能を設定する。もし、ＤＲＸが設定されれば、端末２０１は資源割当情報が入っているＰＤＣＣＨを続いてモニタリングすることではなく、ＤＲＸ周期及び/又はパターンに合わせて以下に定義された活性化区間(Ａｃｔｉｖｅ Ｔｉｍｅ)の間だけモニタリングする。
【００２５】
ここで、ＤＲＸ周期及び/又はパターンはｏｎＤｕｒａｔｉｏｎＴｉｍｅｒ、 ｄｒｘ-ＩｎａｃｔｉｖｉｔｙＴｉｍｅｒ、ｄｒｘ -ＲｅｔｒａｎｓｍｉｓｓｉｏｎＴｉｍｅｒ、ｌｏｎｇＤＲＸ-Ｃｙｃｌｅ (Ｏｎ ｄｕｒａｔｉｏｎとＤＲＸ可能区間を含む全体一周期)、 ｄｒｘＳｔａｒｔＯｆｆｓｅｔ等のようなパラメーターを設定して決まる。
【００２６】
上記言及したＡｃｔｉｖｅ Ｔｉｍｅは、下記のタイマー:
- ｏｎＤｕｒａｔｉｏｎＴｉｍｅｒ(ｌｏｎｇＤＲＸサイクルの場合、サーブフレーム番号が [(ＳＦＮ * １０) + ｓｕｂｆｒａｍｅ ｎｕｍｂｅｒ] ｍｏｄｕｌｏ(ｌｏｎｇＤＲＸ-Ｃｙｃｌｅ) = ｄｒｘＳｔａｒｔＯｆｆｓｅｔになる時点で始まり)、又は
-ｄｒｘ-ＩｎａｃｔｉｖｉｔｙＴｉｍｅｒ(下向き/上向きリンク新規データ資源割当が起きる場合に始まり)、又は
-ｄｒｘ-ＲｅｔｒａｎｓｍｉｓｓｉｏｎＴｉｍｅｒ(ＨＡＲＱ再送信が必要で当該のＨＡＲＱプロセスの再送信が必要な場合に始まり)、又は
- ｍａｃ-ＣｏｎｔｅｎｔｉｏｎＲｅｓｏｌｕｔｉｏｎＴｉｍｅｒ(Ｒａｎｄｏｍ Ａｃｃｅｓｓ動作でＭｓｇ３が送信された以後に始まり;Ｍｓｇ４を受けるべき時点まで動作)
が回っている時や、
スケジューリング要請(Ｓｃｈｅｄｕｌｉｎｇ Ｒｅｑｕｅｓｔ)を送信して追加動作を待つ状況や、
上向きリンクへのＨＡＲＱ再送信が発生することができる状況や、
ランダムアクセス応答(Ｒａｎｄｏｍ Ａｃｃｅｓｓ Ｒｅｓｐｏｎｓｅ)を受信した後 ＰＤＣＣＨを受信することができなかった状況を示す。
【００２７】
セル２０３は端末２０１にＤＲＸ周期を設定するためにｌｏｎｇＤＲＸ-Ｃｙｃｌｅ 値を長く或いは短く設定することができ、上記記述した多くのＴｉｍｅｒ値を設定してＯｎｄｕｒａｔｉｏｎ長さを調節することができる。もし、ＩＳＭ或いはＧＮＳＳの活動が活発なことと予想される場合なら、セル２０３はＤＲＸのＡｃｔｉｖｅ Ｔｉｍｅ(データを送受信する区間:以下で詳細に技術)を減らして設定しなければならない。反対にＩＳＭ或いはＧＮＳＳの活動が活発しないことと予想される場合なら、セル２０３はＤＲＸのＡｃｔｉｖｅ Ｔｉｍｅをふやして設定すべきである。
【００２８】
上記で説明したようにＤＲＸを設定するため、上記セル２０３は２１３段階で設定したパラメーター値及び本発明で追加した上向きリンク活動指示子(Ｕｐｌｉｎｋ Ａｃｔｉｖｉｔｙ Ｉｎｄｉｃａｔｏｒ)を含む干渉発生情報応答メッセージを２１５段階で端末２０１に送信する。本発明の実施例によって時分割ＤＲＸを通じて端末の干渉を制御しようとする場合、セル２０３は上記上向きリンク活動指示子の値を「Ｙｅｓ」で設定する。
【００２９】
それでは端末２０１は２１７段階で、セル２０３によって設定された値によってＤＲＸ動作を始める。これに対し、より具体的に説明する。
【００３０】
もし、上向きリンク活動指示子(Ｕｐｌｉｎｋ Ａｃｔｉｖｉｔｙ Ｉｎｄｉｃａｔｏｒ)が「Ｙｅｓ」で設定された場合、端末２０１は既存ＤＲＸ動作とは異なるように、ＤＲＸサイクル内の活性化区間(Ａｃｔｉｖｅ Ｔｉｍｅ)だけで上向きリンク送信を遂行する。すなわち、換言すれば、Ａｃｔｉｖｅ Ｔｉｍｅ以外の区間、すなわち非活性化区間では下記のデータを送信しない。既存ＤＲＸ動作で非活性化区間における送信が許容されたが、本発明のＤＲＸ動作で非活性化区間における送信が許容されないデータに対する例示は次のようである。
【００３１】
-Ｄ-ＳＲ(専用スケジューリング要請、ｄｅｄｉｃａｔｅｄ ｓｃｈｅｄｕｌｉｎｇ ｒｅｑｕｅｓｔ:基地局が端末に上向きリンク資源割当が必要であるか否かを知らせることができるように特定端末に制御チャンネル資源を割り当てて端末にとって必要な資源に対して報告するようにすること、以下、「Ｄ-ＳＲ」と称する)
- ＨＡＲＱ再送信(複合自動再送信)
- ＳＲＳ(サウンディングレファレンスシンボル、 Ｓｏｕｎｄｉｎｇ Ｒｅｆｅｒｅｎｃｅ Ｓｙｍｂｏｌｓ:端末のチャンネル推定のために基地局で基準信号を送信すること、 以下、「ＳＲＳ」)
- ＳＰＳ(半永久的スケジューリング、Ｓｅｍｉ-ｐｅｒｓｉｓｔｅｎｔ ｓｃｈｅｄｕｌｉｎｇ:固定された領域に上向きリンクでデータ送信する方式、以下「ＳＰＳ」と称する) データ
【００３２】
また、ランダムアクセス(Ｒａｎｄｏｍ Ａｃｃｅｓｓ) 手続きにおいても、端末２０１は活性化区間(Ａｃｔｉｖｅ Ｔｉｍｅ)以外ではランダムアクセスプリアンブル(Ｒａｎｄｏｍ Ａｃｃｅｓｓ Ｐｒｅａｍｂｌｅ)を送信しなく、ランダムアクセス(Ｒａｎｄｏｍ Ａｃｃｅｓｓ)手続きを始めないようにする。しかし、端末２０１がランダムアクセス(Ｒａｎｄｏｍ Ａｃｃｅｓｓ)手続きを既に始めた場合には、開始されたランダムアクセス(Ｒａｎｄｏｍ Ａｃｃｅｓｓ)手続きを仕上げることができるように例外的に許容するようにする。すなわち、一度のランダムアクセス(Ｒａｎｄｏｍ Ａｃｃｅｓｓ)手続きが始まった場合にはランダムアクセス(Ｒａｎｄｏｍ Ａｃｃｅｓｓ)手続きでメッセージ２の受信、 メッセージ３の発信、メッセージ４の受信は遂行するようにする。
【００３３】
一方、本発明の一実施例によれば、上記記述した内容の中、 活性化区間(Ａｃｔｉｖｅ Ｔｉｍｅ )以外の区間における送信を禁止したＳＲ送信、或いはランダムアクセス(Ｒａｎｄｏｍ Ａｃｃｅｓｓ)始まり送信は発生したデータの優先順位を考慮して送信するか否かを決めることができる。
【００３４】
基地局は無線ベアラーを設定することにおいて上記無線ベアラーの優先順位又は送信遅延要求事項(ｄｅｌａｙ ｒｅｑｕｉｒｅｍｅｎｔ)を考慮し、無線ベアラー別に活性化区間(Ａｃｔｉｖｅ Ｔｉｍｅ)ではないとしてもＳＲ送信或いはランダムアクセス(Ｒａｎｄｏｍ Ａｃｃｅｓｓ)始まりを許容したり許容しないこともある。例えば、ＲＲＣメッセージは端末のハンドオーバー等に影響を及ぼすのでＲＲＣメッセージの送信は遅滞しないことが重要である。したがってＳＲＢ(ｓｉｇｎａｌｉｎｇ ｒａｄｉｏ ｂｅａｒｅｒ)に対しては活性化区間(Ａｃｔｉｖｅ Ｔｉｍｅ)ではないとしてもＳＲ送信、或いはランダムアクセスプリアンブル(Ｒａｎｄｏｍ Ａｃｃｅｓｓ ｐｒｅａｍｂｌｅ)送信を許容することができる。一方、ＦＴＰのように遅延に大きく敏感ではないデータを処理する無線ベアラーに対しては活性化区間(Ａｃｔｉｖｅ Ｔｉｍｅ)だけでＳＲ送信或いはランダムアクセス(Ｒａｎｄｏｍ Ａｃｃｅｓｓ)の始まりを許容することができる。
【００３５】
あるベアラーに上記動作(Ａｃｔｉｖｅ ＴｉｍｅだけでＳＲ送信とｒａｎｄｏｍ ｐｒｅａｍｂｌｅ送信を許容)を適用するか否かはＲＲＣ制御メッセージを通じて設定されることもでき、ＳＲＢに対しては上記動作を適用しなく残りＲＢに対しては上記動作を適用するように規定しておくこともできる。
【００３６】
図３は、本発明の実施例による端末２０１の干渉回避動作手順を示すフローチャートである。
【００３７】
まず、端末２０１は３０１段階でセル２０３に接続し、３０３段階でセル２０３とデータを送受信する。
【００３８】
以後、端末２０１は３０５段階で端末内の異種通信装置、すなわち第２通信モジュールからの干渉が感知されたり又は干渉が予測されることを感知する。それでは端末２０１は干渉回避に係って役に立つ情報、すなわち干渉発生情報を生成してこれをセル２０３に報告する。上記干渉発生情報は干渉の影響を受けるＬＴＥ周波数帯域、又は中心周波数の情報、 ＩＳＭ又はＧＮＳＳの帯域情報、ＩＮＴＥＲＦＥＲＩＮＧ ＣＴ の予想活動パターン(例えば、送受信周期、パワー節約の周期/パターンなど)中、少なくとも１つの情報を含むことができる。
【００３９】
それではセル２０３は上記干渉発生情報を利用して端末２０１が干渉を回避するための動作を決め、決定された動作干渉発生情報応答メッセージを通じて端末２０１に送信する。  
【００４０】
端末２０１はセル２０３から干渉発生情報応答メッセージ受信時、３０９段階でハンドオーバー命令を受信したか否かを判断する。ハンドオーバー命令受信時、端末２０１は３１１段階でセル２０３が指示した周波数帯域又はターゲットセルへのハンドオーバーを遂行する。
【００４１】
一方、ハンドオーバー命令を受信したのではなければ、端末２０１は３１３段階で進行してＤＲＸ設定命令を受信したのか判断する。ＤＲＸ設定命令受信時、端末２０１は３１５段階に進行して上向きリンク活動指示子(Ｕｐｌｉｎｋ Ａｃｔｉｖｉｔｙ Ｉｎｄｉｃａｔｏｒ)が「Ｙｅｓ」に設定されたのか判断する。「Ｙｅｓ」に設定された場合、端末２０１は３１７段階に進行してＤＲＸサイクル内の活性化区間(Ａｃｔｉｖｅ Ｔｉｍｅ)だけで上向きリンク送信を遂行する。一方、上向きリンク活動指示子が「Ｎｏ」で設定された場合、従来技術によるＤＲＸ動作を遂行する。すなわち、従来技術によるＤＲＸ動作遂行時、 端末２０１は活性化区間又は非活性化区間であるか否かに構わずに上向きリンク送信を遂行する。
【００４２】
図4は、本発明の実施例によるセル２０３が端末の干渉回避を制御する過程を示すフローチャートである。
【００４３】
まず、セル２０３は端末２０１とネットワーク接続手続きを完了した以後、４０５段階で端末２０１から送信される干渉発生情報メッセージを受信する。上記干渉発生情報メッセージは端末２０１内で異種通信装置によって干渉が感知されたり又は干渉が予測される際、端末２０１から送信される。
【００４４】
そしてセル２０３は４１０段階で、 端末２０１の干渉回避のために端末２０１の動作を制御する必要があるのか否かを判断する。すなわち、セル２０３は端末２０１から受信した干渉発生情報メッセージに含まれた干渉の影響を受けるＬＴＥ周波数帯域等の情報を利用して現在、 端末２０１が通信を円滑に遂行することができない程度に異種通信モジュールから干渉を受けているのか否かを判断することができる。セル２０３は端末２０１が通信を円滑に遂行することができない程度に干渉を受けると判断した場合、 上記端末２０１にハンドオーバー又はＤＲＸ動作設定等を命令して端末２０１の干渉回避を制御することができる。
【００４５】
すなわち、セル２０３は４１０段階で端末の動作を制御する必要があると判断した場合、 ４１５段階に進行して端末のハンドオーバーのための可用周波数が存在するのか否かを判断する。上記可用周波数はサービングセルの他の周波数又はターゲットセルの任意の周波数になることができる。可用周波数が存在する場合、セル２０３は４２０段階でハンドオーバー命令を含む干渉発生情報応答メッセージを生成する。
【００４６】
一方、可用周波数が存在しない場合、セル２０３はＤＲＸ動作設定を通じて端末２０１の干渉を制御することで決定する。そしてセル２０３は４２５段階に進行して端末２０１の上向きリンク送信動作を制御する必要があるのか否かを判断する。必要であれば、セル２０３は４３０段階に進行して上向きリンク活動指示子(Ｕｐｌｉｎｋ ＡｃｔｉｖｉｔｙＩｎｄｉｃａｔｏｒ)を「Ｙｅｓ」で設定した干渉発生情報応答メッセージを生成する。一方、端末２０１の上向きリンク送信動作を制御する必要がない場合、セル２０３は４３５段階に進行して上向きリンク活動指示子(Ｕｐｌｉｎｋ Ａｃｔｉｖｉｔｙ Ｉｎｄｉｃａｔｏｒ)を「Ｎｏ」で設定した干渉発生情報応答メッセージを生成する。
【００４７】
そしてセル２０３は４４０段階で、 生成された干渉発生情報応答メッセージを端末に送信する。
【００４８】
図５は、本発明の実施例による端末２０１の内部構造を示すブロック図である。
【００４９】
図５に示すように、本発明の実施例による端末２０１は第１通信モジュールと第２通信モジュールを備えることができる。上記第１通信モジュールは移動基地局を使用するセルラー通信を遂行するためのモジュールである。そして上記第２通信モジュールは端末のセルラー通信(例えば、 ＬＴＥ通信)に対して干渉を与える可能性がある通信を遂行する無線ＬＡＮ(Ｗｉ-Ｆｉ) モジュール、ブルートゥースモジュール、ＧＰＳ(Ｇｌｏｂａｌ Ｐｏｓｉｔｉｏｎｉｎｇ Ｓｙｓｔｅｍ)モジュールの中で少なくとも１つを含むことができる。ここで上記第２通信モジュールは図６に示すように干渉装置(ｉｎｔｅｒｆｅｒｉｎｇ ＣＴ )と称することもできる。
【００５０】
端末は上位階層５０５とデータなどを送受信し、 制御メッセージ処理部５０７を通じてセル２０３と制御メッセージを送受信する。送信時、制御部５０９の制御によって多重化装置５０３を通じて多重化後の送信機を通じてデータを送信する（５０１）。
【００５１】
一方、受信時、制御部５０９の制御によって受信機５０１で物理信号を受信した後、逆多重化装置５０３で受信信号を逆多重化し、それぞれメッセージ情報によって上位階層 ５０５或いは制御メッセージ処理部５０７に伝達する。
【００５２】
本発明の実施例によれば、 干渉通信装置(ｉｎｔｅｒｆｅｒｉｎｇ ＣＴ )５１３が直接干渉(Ｉｎｔｅｒｆｅｒｉｎｇ ＣＴ)感知/判断部５１１に第２通信モジュールの電源がオンされたり動作が始まることを知らせてくれることができる。又は干渉通信装置(ｉｎｔｅｒｆｅｒｉｎｇ ＣＴ装置)５１３が送信する信号５１５が第１通信モジュールの送受信機５０1に強い干渉信号と作用して(５１７)、これを感知した制御部５０９が干渉状況を干渉通信(Ｉｎｔｅｒｆｅｒｉｎｇ ＣＴ)感知/判断部５１１に直接知らせてくれることもできる。  
【００５３】
第２通信モジュールとの干渉を感知した干渉通信(Ｉｎｔｅｒｆｅｒｉｎｇ ＣＴ)感知/判断部５１１は干渉通信(ｉｎｔｅｒｆｅｒｉｎｇ ＣＴ )を回避すべきであるか否かを判断し、回避する必要がある場合、これを制御部５０９に知らせる。この場合、干渉通信(Ｉｎｔｅｒｆｅｒｉｎｇ ＣＴ)感知/判断部6１１は予め設定された臨界値以上に干渉影響がある場合、干渉を回避する必要がある場合で判断することができる。
【００５４】
それでは制御部５０９は制御メッセージ処理部５０７を通じて干渉発生情報メッセージを生成するように制御し、 生成された干渉発生情報メッセージがセル２０３に送信されるようにブロック送受信機５０1を制御する。  
【００５５】
また、 制御部５０９はセル２０３から送信される干渉発生情報応答メッセージを制御メッセージ処理部５０７を通じて受信する。そして制御部５０９は上記干渉発生情報応答メッセージに含まれた端末の動作命令すなわち、ハンドオーバー命令又はＤＲＸ設定命令を感知する。干渉発生情報応答メッセージにハンドオーバー命令が含まれた場合、 制御部５０９は指定された周波数又はターゲットセルへのハンドオーバー手続きを制御する。一方、干渉発生情報応答メッセージにＤＲＸ動作設定命令が含まれた場合、制御部５０９は「Ｕｐｌｉｎｋ Ａｃｔｉｖｉｔｙ Ｉｎｄｉｃａｔｏｒ」が「Ｙｅｓ」で設定されているか否かを判断する。「Ｕｐｌｉｎｋ Ａｃｔｉｖｉｔｙ Ｉｎｄｉｃａｔｏｒ」が 「Ｙｅｓ」で設定された場合、制御部５０９はＤＲＸサイクル内の活性化区間(Ａｃｔｉｖｅ Ｔｉｍｅ)だけで上向きリンク送信を遂行するように制御する。一方、 「Ｕｐｌｉｎｋ Ａｃｔｉｖｉｔｙ Ｉｎｄｉｃａｔｏｒ」が 「Ｎｏ」で設定された場合、従来技術によるＤＲＸ動作を遂行する。すなわち、従来技術によるＤＲＸ動作遂行時、 制御部５０９は活性化区間又は非活性化区間であるか否かに構わずに上向きリンク送信を遂行する。
【００５６】
一方、図５では制御メッセージ処理部５０７、制御部５０９、干渉通信感知/判断部５１１が別途のブロックから構成されてそれぞれ独立的な機能を遂行することで記載したが、 これは技術上の便宜のためのことであるだけ、必ずここに限定されることではない。すなわち、制御メッセージ処理部５０７及び干渉通信感知/判断部５１１が遂行する特定機能を制御部５０９が共に遂行することもできることである。
【００５７】
図6は本発明の実施例によるセル２０３の内部構造を示すブロック図である。図６に示すように、本発明のセル２０３は送受信部６１０、貯蔵部６２０、制御部６３０を含むことができる。
【００５８】
送受信部６１０はセル２０３と端末２０１、又はセル２０３とセルラー網ノードの間のメッセージ送受信を遂行する。このために、送受信部６１０は有線又は無線インターフェースを含むことができる。
【００５９】
貯蔵部６２０は、本発明の実施例によってセル２０３が動作することに必要なプログラム等を貯蔵することができる。特に、本発明の実施例による貯蔵部６２０は、端末２０１から報告される干渉発生情報、例えば干渉の影響を受けるＬＴＥ周波数帯域等に対する情報を貯蔵することができる。
【００６０】
制御部６３０はセル動作の全般的な動作を制御する。特に、制御部６３０はセルが端末に発生する干渉を制御するために干渉制御部６３１をさらに備えることができる。
【００６１】
干渉制御部６３１は端末２０１から送信される干渉発生情報メッセージ受信時、 端末２０１の動作を制御する必要があるのか否かを判断する。必要である判断した場合、 干渉制御部６３１は端末２０１のハンドオーバーのための可用周波数が存在するのか否かを判断する。上記可用周波数はサービングセルの他の周波数又はターゲットセルの任意の周波数になることができる。可用周波数が存在する場合、干渉制御部６３１はハンドオーバー命令を含む干渉発生情報応答メッセージを生成して端末２０１に送信するように制御する。
【００６２】
一方、可用周波数が存在しない場合、干渉制御部６３１はＤＲＸ動作設定を通じて端末２０１の干渉を制御することで決定し、 端末２０１の上向きリンク送信動作を制御する必要があるのか否かを判断する。必要であれば、干渉制御部６３１は上向きリンク活動指示子(Ｕｐｌｉｎｋ Ａｃｔｉｖｉｔｙ Ｉｎｄｉｃａｔor)を「Ｙｅｓ」で設定した干渉発生情報応答メッセージを生成する。一方、端末２０１の上向きリンク送信動作を制御する必要がない場合、干渉制御部６３１は上向きリンク活動指示子(Ｕｐｌｉｎｋ Ａｃｔｉｖｉｔｙ Ｉｎｄｉｃａｔｏｒ)を 「Ｎｏ」で設定した干渉発生情報応答メッセージを生成する。そして干渉制御部６３１は生成された干渉発生情報応答メッセージを端末２０１に送信するように制御する。
【００６３】
上記提案する方式を使用する場合、 現在干渉状況、或いは潜在的な干渉要因から時間上に干渉を回避して干渉を最小化してセルラー網と異種網が同時に共存して通信することができる長所がある。
【００６４】
本発明の詳細な説明では具体的な実施例に関して説明したが、 本発明の範囲から脱しない限度内で、さまざまな変形も可能である。よって、本発明の範囲は説明した実施例に限定されず、後述する特許請求の範囲だけではなく、この特許請求の範囲と均等なものなどによって決まるべきである。
【符号の説明】
【００６５】
５０１    送信機
５０３    多重化及び逆多重化装置
５０５    上位階層装置
５０７    制御メッセージ処理部
５０９    制御部
５１１    感知／判断部
５１３    干渉通信装置(ｉｎｔｅｒｆｅｒｉｎｇ ＣＴ装置)
６１０    送受信部
６２０    貯蔵部
６３０    制御部
６３１    干渉制御部
【図１】
0006040156.tif 000002
【図２】
0006040156.tif 000003
【図３】
0006040156.tif 000004
【図４】
0006040156.tif 000005
【図５】
0006040156.tif 000006
【図６】
0006040156.tif 000007